(57)【要約】【課題】本発明は、脇下の汗を効果的に吸収しながらも、圧迫感がなく、外から汗染みが見えることのない袖付き衣類を提供することを目的とする。【解決手段】胴部１２と袖部１４とから成る袖付き衣類１０を、胴部１２と袖部１４との縫合部（境界）１６に脇下パッド１８を備えて構成した。また、脇下パッド１８を、綿等から成る楕円形状又は円形状等の生地を二つ折りにして形成し、胴部１２と袖部１４とが縫合される際に、この脇下パッド１８の湾曲形状の下端３０が同時に縫合されて縫合部１６に固定した。【選択図】図１
2010084304.tif 000002
【特許請求の範囲】
【請求項１】
胴部と袖部とから成る袖付き衣類において、
前記胴部と袖部との境界に脇下パッドを備えた袖付き衣類。
【請求項２】
前記身体に装着した時に、前記脇下パッドが脇に向かって立ち上がる請求項１に記載する袖付き衣類。
【請求項３】
前記脇下パッドが、装着する身体の前後方向に伸縮可能である請求項１〜請求項２のいずれかに記載する袖付き衣類。
【請求項４】
前記胴部と袖部との境界が、該胴部と袖部との縫合部である請求項１〜請求項３のいずれかに記載する袖付き衣類。
【発明の詳細な説明】
【技術分野】
【０００１】
本発明は、シャツや上着等の袖付き衣類に関する。
【０００２】
従来から、身体から生じる汗の処分は、不快感を防止するために重要な課題であった。特に、脇の下から生じる汗は不快な匂いを伴うため、その処分は重要な課題であった。そこで、脇の下から生じる汗の処分を考慮したブラジャーに関して案出され出願されている（例えば、特許文献１参照。）。また、着用時に脇下部に正確に位置され、かつ汗取りパッドが取れないように脇部に縫着された袖付き衣類が提案されている（例えば、引用文献２参照。）。
【０００３】
しかし、ブラジャーに汗取りパッド収納袋を固定した構成であるので、パッド収納袋が胴体に密着し圧迫感を受けることが考えられる。また、脇下から胴体にわたる部分の汗を吸収することができても、脇下から腕にわたる部分の汗を吸収することはできないと考えられ、このブラジャーの上に装着したシャツ等の袖付き衣類において、外から汗染みが見えてしまうことも考えられる。また汗取りパッドが縫着された袖付き衣類では、汗取りパッドの縫着ラインの凹凸が外側に表れるため外観を損なうだけでなく、いかにも汗取りパッドがついていることが分かることは女性から敬遠される問題があった。
【０００４】
【特許文献１】実願平４−８５７１５号公報
【特許文献２】特開２００５−２９０５８４号公報
【発明の開示】
【発明が解決しようとする課題】
【０００５】
そこで、本発明者は、このような課題の原因を究明してこのような課題を解決するべく、鋭意研究を重ねた結果、本発明に至ったのである。
【０００６】
すなわち、本発明は、脇下の汗を効果的に吸収しながらも、圧迫感がなく、外から汗染みが見えることのなく、汗取りパッドが付いていることが外観からは分かりにくい袖付き衣類を提供することを目的とする。
【課題を解決するための手段】
【０００７】
本発明の袖付き衣類は、胴部と袖部とから成る袖付き衣類において、前記胴部と袖部との境界に脇下パッドを備えたことを特徴とする。
【０００８】
また、本発明の袖付き衣類は、前記袖付き衣類において、前記身体に装着した時に、前記脇下パッドが脇に向かって立ち上がることを特徴とする。
【０００９】
また、本発明の袖付き衣類は、前記袖付き衣類において、前記脇下パッドが、装着する身体の前後方向に伸縮可能であることを特徴とする。
【００１０】
また、本発明の袖付き衣類は、前記袖付き衣類において、前記胴部と袖部との境界が、該胴部と袖部との縫合部であることを特徴とする。
【発明の効果】
【００１１】
本発明の袖付き衣類によれば、胴部と袖部との境界に備えた脇下パッドによって脇から生じる汗を吸収することができる。このため、脇下の汗を効果的に吸収しながらも、圧迫感がなく、外から汗染みが見えることがなく、汗取りパッドが付いていることが外観からは分かりにくい。
【発明を実施するための最良の形態】
【００１２】
次に、本発明に係る衣類の製造方法及び成形編みされた衣類について、図面に基づいて詳しく説明する。図１において、符号１０は、本発明の袖付き衣類である。
【００１３】
本発明の袖付き衣類１０は、胴部１２と袖部１４とから成る袖付き衣類において、胴部１２と袖部１４との縫合部（境界）１６に脇下パッド１８を備えている。
【００１４】
脇下パッド１８は吸水性及び速乾性の高い素材が好ましく、例えば、綿糸とアクティコット（旭化成工業（株）の商標名）糸の交編からなるフライス生地を用いて、図２に示すように、楕円形状又は円形状等にした生地を二つ折りにして形成している。袖付き衣類１０は胴部１２と袖部１４とが縫合されて形成されるが、胴部１２と袖部１４とが縫合される際に、図２に示すように、この脇下パッド１８の湾曲形状の下端３０が同時に縫合されて縫合部１６に固定される。縫合部１６に固定された脇下パッド１８は、装着する身体２０の前後方向（Ｙ軸方向）に伸縮可能な生地から形成されるため、身体２０の寸法に対応でき、また腕を動かした際にも突っ張らずに柔軟に脇にフィットする。また、脇下パッド１８は、腕２２の形状や汗腺の位置等を考慮して中止線Ｃよりも前方の面積が広くなっている。なお、脇下パッド１８の幅Ｗは３ｃｍ〜１０ｃｍである。
【００１５】
また、脇下パッド１８は、胴部１２と袖部１４との縫合部１６に固定されているため、腕２２を袖部１４に通して身体２０に装着した時に、図３に示すように、脇下パッド１８が前後方向に引っ張られて脇２８に向かって立ち上がる。すなわち、脇下パッド１８は上端３２が脇２８に突き当たり、また腕を下ろした状態で脇下パッド１８が脇２８に挟まれるように構成されている。
【００１６】
このような袖付き衣類１０は、折り畳んだ状態で販売され、販売時には脇下パッド１８も折り畳んだ状態となっている。この袖付き衣類１０を身体２０に装着すると、脇下パッド１８が身体２０の前後方向に伸びながら、図３に示すように、上端３２が脇２８に接触する。このため、脇２８から生じる汗が脇下パッド１８に吸収される。脇２８から脇下パッド１８の上端３２に吸収された汗は幅Ｗ方向である上下方向に流れていくことが可能であるため、脇２８から生じた汗の全てを吸収することができる。このため、袖付き衣類１０の胴部１２又は袖部１４に汗が染み込むことなく、外から汗染みが見えることもない。
【００１７】
以上、本発明の一実施形態について説明したが、本発明はその他の態様でも実施できる。例えば、図４に示す脇下パッド４０を備えた袖付き衣類１０であってもよい。この脇下パッド４０は帯状に構成されているため、脇下パッド４０の下に空間４２が生じることとなる。このため、脇下付近において清涼感を得ることができる。
【００１８】
また、本発明は図示した実施形態には限定されない。例えば、本発明の袖付き衣類の種類は特に限定されず、下着であっても上着であってもよい。また、胴部と袖部との境界は縫合に限定されず、溶着や接着であってもよい。また、胴部と袖部とが連続した袖付き衣類において、胴部と袖部との境界に脇下パッドを備えてもよい。その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００１９】
本発明の袖付き衣類によれば、脇下の汗を効果的に吸収しながらも、圧迫感がなく、外から汗染みが見えることがなく、汗取りパッドが付いていることが外観からは分かりにくい。このため、脇から生じる汗を吸収できる袖付き衣類として、広く利用できる。
【図面の簡単な説明】
【００２０】
【図１】本発明の袖付き衣類を示す図であり、同図（ａ）は正面図であり、同図（ｂ）はＡ−Ａ線切断部断面図である。
【図２】図１の袖付き衣類の製造方法を説明するための斜視図である。
【図３】図１の袖付き衣類の作用を説明するための図であり、同図（ａ）は正面断面図であり、同図（ｂ）はＢ−Ｂ線切断部断面図である。
【図４】本発明の袖付き衣類の他の実施形態を説明するための側面断面図である。
【符号の説明】
【００２１】
１０：袖付き衣類
１２：胴部
１４：袖部
１６：縫合部（境界）
１８，４０：袖下パッド
２０：身体
２２：腕
２８：脇
３０：下端
３２：上端
【図１】
2010084304.tif 000003
【図２】
2010084304.tif 000004
【図３】
2010084304.tif 000005
【図４】
2010084304.tif 000006